【手続補正書】
【提出日】平成19年3月19日(2007.3.19)
【手続補正１】
【補正対象書類名】明細書
【補正対象項目名】００２７
【補正方法】変更
【補正の内容】
【００２７】
実施例１の液中残留塩素濃度装置は、正面に入力部４及び表示器５を有する本体１と、電極群６（作用電極６ａ及び参照電極６ｂ）を有するセンサー体２と、本体１とセンサー体２とを接続するケーブル３とを外見上に備え、増幅回路７、Ａ／Ｄ変換器８、インピーダンス低減回路９、ＥＥＰＲＯＭ１０及びマイクロコンピュータ１１を配設する電子基板と、電源部１２とを本体の内部に備えることにより、全体を大略構成する。
【手続補正２】
【補正対象書類名】明細書
【補正対象項目名】００２８
【補正方法】変更
【補正の内容】
【００２８】
入力部４は、ＯＮキー４ａ、スタートキー４ｂ、モードキー４ｃ、＋キー４ｄ及び−キー４ｅから成り、電力供給・測定開始・切替等をするための入力をする。ＯＮキー４ａは、電源部１２から電気系統各部に電力の供給を開始するためのものである。スタートキー４ｂは、測定又は校正を開始するためのである。モードキー４ｃは、校正モード又は測定モードに切替えるためのものである。＋キー４ｄ、−キー４ｅは、校正基準液の正規濃度値の設定や表示項目・数値等の選択をするためのものである。
【手続補正３】
【補正対象書類名】明細書
【補正対象項目名】００３６
【補正方法】変更
【補正の内容】
【００３６】
ＥＥＰＲＯＭ１０は、換算係数記憶部１０ａを兼有し、各種データを記憶する。換算係数記憶部１０ａは、後述する換算係数演算部１１ｃにより演算した換算係数値を書換え可能に記憶する。
【手続補正４】
【補正対象書類名】明細書
【補正対象項目名】００３７
【補正方法】変更
【補正の内容】
【００３７】
マイクロコンピュータ１１は、ＣＰＵ、制御および演算用プログラムを記憶するＲＯＭ、演算結果および入力データ等を一時的に記憶するＲＡＭ、タイマー、ＩＯポート等を備え、換算係数演算部１１ｃと補正演算式記憶部１１ｂと非直線性補正対象演算部１１ａとを兼有するとともに、各種データ等について演算や制御等の処理をする。
【手続補正５】
【補正対象書類名】明細書
【補正対象項目名】００３８
【補正方法】変更
【補正の内容】
【００３８】
換算係数演算部１１ｃは、液中の残留塩素の正規濃度値が既知である校正基準液を対象とした電極群６による検出に基づいた液中の残留塩素の電極間電圧値と、校正基準液の正規濃度値との比率を換算係数値として演算する。
【手続補正６】
【補正対象書類名】明細書
【補正対象項目名】００３９
【補正方法】変更
【補正の内容】
【００３９】
補正演算式記憶部１１ｂは、電極群６による液中の残留塩素の検出に基づく電極間電圧値と液中の残留塩素の正規濃度値との関係についての特性を示すとともに、この電極間電圧値と、この特性を成立させる抵抗（Ｒ６）の抵抗値（定数）と、電極間電圧値から正規濃度値に換算するための換算係数値とに基づいて、正規濃度値を演算するための非直線性補正対象演算式を記憶する。より具体的には、補正演算式記憶部１１ｂは、電極群６による液中の残留塩素の検出に基づく電極間電圧値と液中の残留塩素の正規濃度値とが、図６に示すような曲線関係を有することから、この曲線の原始的な特性式を示す（１）式を変形した（２）式を非直線性補正対象演算式として記憶する。
Ｋ＝Ａ｛１／（Ｖ＋Ｒ）−１／Ｒ｝  ・・・（１）
Ｖ＝−ＫＲ２／（ＫＲ−Ａ）  ・・・（２）
なお、Ｋは電極間電圧値、Ｒは抵抗値（定数）、Ａは換算係数値、Ｖは正規濃度値を示す。
【手続補正７】
【補正対象書類名】明細書
【補正対象項目名】００４０
【補正方法】変更
【補正の内容】
【００４０】
非直線性補正対象演算部１１ａは、補正演算式記憶部１１ｂに記憶している非直線性補正対象演算式（（２）式）のＫに電極群６による液中の残留塩素の検出に基づく電極間電圧値を、Ａに換算係数記憶部１０ａに記憶している換算係数値を代入することによって液中の残留塩素の正規濃度値を演算する。
【手続補正８】
【補正対象書類名】明細書
【補正対象項目名】００４２
【補正方法】変更
【補正の内容】
【００４２】
ＯＮキー４ａが押されると電源部１２から電気系統各部に電力を供給し（ステップＳ１）、測定か校正かの選択判断を行う（ステップＳ２）。ここで、モードキー４ｃが押されると（ステップＳ２でモードキーのオン）、校正モードに入る。
【手続補正９】
【補正対象書類名】明細書
【補正対象項目名】００４５
【補正方法】変更
【補正の内容】
【００４５】
続いて、換算係数演算部１１ｃにおいて、この取り込んだ電極間電圧値と、ＲＡＭにおいて一時記憶している校正基準試料の正規濃度値との比率を換算係数値として演算し（ステップＳ９）、換算係数記憶部１０ａにおいてこの演算した換算係数値を記憶する（ステップＳ１０）。
【手続補正１０】
【補正対象書類名】明細書
【補正対象項目名】００４８
【補正方法】変更
【補正の内容】
【００４８】
続いて、非直線性補正対象演算部１１ａにおいて、補正演算式記憶部１１ｂに記憶している非直線性補正対象演算式（（２）式）のＫにこの取り込んだ電極間電圧値を、Ａに換算係数記憶部１０ａに記憶している換算係数値を代入することによって測定対象液中の残留塩素の正規濃度値を演算し（ステップＳ４）、表示器５において、この演算した測定対象液中の残留塩素の正規濃度値を表示する（ステップＳ５）。
【手続補正１１】
【補正対象書類名】明細書
【補正対象項目名】００５０
【補正方法】変更
【補正の内容】
【００５０】
以上が、特性を成立させる要素の固有値がインピーダンス低減回路９のインピーダンス定格値（抵抗値）である場合における残留塩素濃度装置の実施例１である。この実施例１では、抵抗（Ｒ６）だけによってインピーダンス低減回路９を実現したが、図４に示すように、電圧を生成する電圧生成回路（Ｒ１１、Ｒ１２、Ｒ１３）と、電圧生成回路に接続するボルテージ・フォロワと、ボルテージ・フォロワと作用電極６ａとの間に接続する出力抵抗（Ｒ１４）とから成るようなインピーダンス低減回路２１を実現しても同様に実施可能である。
【手続補正１２】
【補正対象書類名】明細書
【補正対象項目名】００５４
【補正方法】変更
【補正の内容】
【００５４】
補正演算式記憶部１１ｂは、電極群６による液中の残留塩素の検出に基づく電極間電圧値と液中の残留塩素の正規濃度値との関係についての特性を示すとともに、この電極間電圧値と、この特性を成立させる作用電極６ａの面積値（定数）と、電極間電圧値から正規濃度値に換算するための換算係数値とに基づいて、正規濃度値を演算するための非直線性補正対象演算式を記憶する。より具体的には、補正演算式記憶部１１ｂは、電極群６による液中の残留塩素の検出に基づく電極間電圧値と液中の残留塩素の正規濃度値とが、図１１に示すような曲線関係を有することから、この曲線の原始的な特性式を示す（３）式を変形した（４）式を非直線性補正対象演算式として記憶する。
Ｋ＝Ａ｛１／（Ｖ＋Ｓ）−１／Ｓ｝  ・・・（３）
Ｖ＝−ＫＳ２／（ＫＳ−Ａ）  ・・・（４）
なお、Ｋは電極間電圧値、Ｓは面積値（定数）、Ａは換算係数値、Ｖは正規濃度値を示す。
【手続補正１３】
【補正対象書類名】明細書
【補正対象項目名】００５５
【補正方法】変更
【補正の内容】
【００５５】
また、ステップＳ４では、非直線性補正対象演算部１１ａにおいて、補正演算式記憶部１１ｂに記憶している非直線性補正対象演算式（（４）式）のＫにこの取り込んだ電極間電圧値を、Ａに換算係数記憶部１０ａに記憶している換算係数値を代入することによって液中の残留塩素の正規濃度値を演算する。